(57)【要約】【課題】使用者が息苦しさを感じることなく、ネットを適切に絞り込むことを可能にする防虫ネットを提供する。【解決手段】防虫ネット１００は、上端１１１及び下端１１２が開口しているネット本体１１０と、ネット本体の前上端が内側に閉じる方向に付勢力を与える締め付け力付与手段１２０と、ネット本体の中心よりも下端に近い位置においてネット本体に取り付けられている付勢手段１３０と、からなる。付勢手段は、紐部材１３１と、ネット本体の周囲に取り付けられ、紐部材を内部に通すことができる中空部材１３２と、からなる。中空部材はネット本体の前側から後側に向かうにつれてネット本体の下端に対して徐々に上方に位置し、ネット本体の後側において最上位置にある。【選択図】図１
0003148193.tif 000002
【実用新案登録請求の範囲】
【請求項１】
上端及び下端が開口しているネット本体と、
前記ネット本体の前記上端に取り付けられており、開口している前記上端が内側に閉じる方向に付勢力を与える締め付け力付与手段と、
前記ネット本体の中心よりも前記下端に近い位置において前記ネット本体に取り付けられている付勢手段と、
からなる防虫ネットであって、
前記付勢手段は、紐部材と、前記ネット本体の周囲に取り付けられ、前記紐部材を内部に通すことができる中空部材と、からなり、
前記中空部材は前記ネット本体の前側において開口しており、
前記中空部材は前記ネット本体の前側から後側に向かうにつれて前記ネット本体の前記下端に対して徐々に上方に位置し、前記ネット本体の後側において最上位置にあるものである防虫ネット。
【請求項２】
上端及び下端が開口しているネット本体と、
前記ネット本体の前記上端に取り付けられており、開口している前記上端が内側に閉じる方向に付勢力を与える締め付け力付与手段と、
前記ネット本体の中心よりも前記下端に近い位置において前記ネット本体に取り付けられている付勢手段と、
からなる防虫ネットであって、
前記付勢手段は、紐部材と、前記ネット本体の周囲に取り付けられ、前記紐部材を内部に通すことができる中空部材と、からなり、
前記中空部材は前記ネット本体の前側において開口しており、
前記中空部材は前記ネット本体の前側から後側に向かうにつれて前記ネット本体の前記下端に対して徐々に上方に位置し、前記ネット本体の前側と後側の中間の位置において最上位置にあり、前記ネット本体の後側に向かうにつれて徐々に下方に位置し、前記ネット本体の後側において前記ネット本体の前側における位置よりも上方の位置にあるものである防虫ネット。
【請求項３】
頭頂部と、鍔部分と、前記頭頂部と前記鍔部分とを接続する側壁部分とからなる帽子と、
上端及び下端が開口しているネット本体と、
前記ネット本体の中心よりも前記下端に近い位置において前記ネット本体に取り付けられている付勢手段と、
からなる防虫ネットであって、
前記ネット本体は前記上端において前記帽子の側壁部分に取り付けられており、
前記付勢手段は、紐部材と、前記ネット本体の周囲に取り付けられ、前記紐部材を内部に通すことができる中空部材と、からなり、
前記中空部材は前記ネット本体の前側において開口しており、
前記中空部材は前記ネット本体の前側から後側に向かうにつれて前記ネット本体の前記下端に対して徐々に上方に位置し、前記ネット本体の後側において最上位置にあるものである防虫ネット。
【請求項４】
頭頂部と、鍔部分と、前記頭頂部と前記鍔部分とを接続する側壁部分とからなる帽子と、
上端及び下端が開口しているネット本体と、
前記ネット本体の中心よりも前記下端に近い位置において前記ネット本体に取り付けられている付勢手段と、
からなる防虫ネットであって、
前記ネット本体は前記上端において前記帽子の側壁部分に取り付けられており、
前記付勢手段は、紐部材と、前記ネット本体の周囲に取り付けられ、前記紐部材を内部に通すことができる中空部材と、からなり、
前記中空部材は前記ネット本体の前側において開口しており、
前記中空部材は前記ネット本体の前側から後側に向かうにつれて前記ネット本体の前記下端に対して徐々に上方に位置し、前記ネット本体の前側と後側の中間の位置において最上位置にあり、前記ネット本体の後側に向かうにつれて徐々に下方に位置し、前記ネット本体の後側において前記ネット本体の前側における位置よりも上方の位置にあるものである防虫ネット。
【請求項５】
前記帽子の前記側壁部分は、第一の側壁部分と、前記第一の側壁部分の外側に位置する第二の側壁部分と、からなり、
前記第二の側壁部分は、その上端において、前記第一の側壁部分に対して折り曲げ自在に前記第一の側壁部分に接続し、その下端において、前記第一の側壁部分に対して取り外し自在に取り付けられており、
前記ネット本体は前記第一の側壁部分と前記第二の側壁部分との間に収納可能であることを特徴とする請求項３または４に記載の防虫ネット。
【考案の詳細な説明】
【技術分野】
【０００１】
本考案は防虫ネットに関する。
【背景技術】
【０００２】
農作業時における防虫用具として種々の防虫ネットが提案されている。
【０００３】
そのような防虫ネットの一つとして特開２００６−８９８５３号公報に記載されたものがある。
【０００４】
同公報に記載された防虫ネットは上端及び下端が開口している筒状のネットからなり、開口している上端においてネットを帽子に被せることができるようになっている。
【０００５】
しかしながら、この防虫ネットは下端が開放されているため、ここから虫が中に入り込むおそれがあった。
【０００６】
このため、同公報の図８に示すように、ネットの下端より上方に絞り部を設け、この絞り部により、ネットを内側に絞り込み、ネットを使用者の体に密着させ、ネットの中に虫が入り込まないようにすることが可能であるようになっている。
【考案の開示】
【考案が解決しようとする課題】
【０００７】
しかしながら、上記の絞り部は使用者の首の回りにおいてネットを絞り込むようになっているため、強く絞り込むと使用者が息苦しさを感じるという欠点があった。
【０００８】
この欠点を回避するためには、使用者の首よりも下方に絞り部を配置すればよい。防虫ネットを使用する作業としては、除草作業などの前かがみになって行う作業が多い。この場合、仮に、絞り部がネットの周囲に水平に取り付けられていると、ユーザが前かがみになったときに、ネットの下端がネットの前方側において開き気味になり、そこから虫が入り込むという新たな問題が発生していた。
【０００９】
本考案は以上のような従来の防虫ネットにおける問題点に鑑みてなされたものであり、使用者が息苦しさその他の不快感を覚えることなく、ネットを適切に絞り込むことを可能にする防虫ネットを提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、上端（１１１）及び下端（１１２）が開口しているネット本体（１１０）と、前記ネット本体（１１０）の前記上端（１１１）に取り付けられており、開口している前記上端（１１１）が内側に閉じる方向に付勢力を与える締め付け力付与手段（１２０）と、前記ネット本体（１１０）の中心よりも前記下端（１１２）に近い位置において前記ネット本体（１１０）に取り付けられている付勢手段（１３０）と、からなる防虫ネット（１００）であって、前記付勢手段（１３０）は、紐部材（１３１）と、前記ネット本体（１１０）の周囲に取り付けられ、前記紐部材（１３１）を内部に通すことができる中空部材（１３２）と、からなり、前記中空部材（１３２）は前記ネット本体（１１０）の前側において開口しており、前記中空部材（１３２）は前記ネット本体（１１０）の前側から後側に向かうにつれて前記ネット本体（１１０）の前記下端（１１２）に対して徐々に上方に位置し、前記ネット本体（１１０）の後側において最上位置にあるものである防虫ネット（１００）を提供する。
【００１２】
本考案は、さらに、上端（１１１）及び下端（１１２）が開口しているネット本体（１１０）と、前記ネット本体（１１０）の前記上端（１１１）に取り付けられており、開口している前記上端（１１１）が内側に閉じる方向に付勢力を与える締め付け力付与手段（１２０）と、前記ネット本体（１１０）の中心よりも前記下端（１１２）に近い位置において前記ネット本体（１１０）に取り付けられている付勢手段（１３０）と、からなる防虫ネット（１００）であって、前記付勢手段（１３０）は、紐部材（１３１）と、前記ネット本体（１１０）の周囲に取り付けられ、前記紐部材（１３１）を内部に通すことができる中空部材（１３２）と、からなり、前記中空部材（１３２）は前記ネット本体（１１０）の前側において開口しており、前記中空部材（１３２）は前記ネット本体（１１０）の前側から後側に向かうにつれて前記ネット本体（１１０）の前記下端（１１２）に対して徐々に上方に位置し、前記ネット本体（１１０）の前側と後側の中間の位置において最上位置にあり、前記ネット本体（１１０）の後側に向かうにつれて徐々に下方に位置し、前記ネット本体（１１０）の後側において前記ネット本体の前側における位置よりも上方の位置にあるものである防虫ネット（１００）を提供する。
【００１３】
さらに、本考案は、頭頂部（２１１）と、鍔部分（２１２）と、前記頭頂部（２１１）と前記鍔部分（２１２）とを接続する側壁部分（２１３）とからなる帽子（２１０）と、上端（１１１）及び下端（１１２）が開口しているネット本体（１１０）と、前記ネット本体（１１０）の中心よりも前記下端（１１２）に近い位置において前記ネット本体（１１０）に取り付けられている付勢手段（１３０）と、からなる防虫ネット（２００）であって、前記ネット本体（１１０）は前記上端（１１１）において前記帽子（２１０）の側壁部分（２１３）に取り付けられており、前記付勢手段（１３０）は、紐部材（１３１）と、前記ネット本体（１１０）の周囲に取り付けられ、前記紐部材（１３１）を内部に通すことができる中空部材（１３２）と、からなり、前記中空部材（１３２）は前記ネット本体（１１０）の前側において開口しており、前記中空部材（１３２）は前記ネット本体（１１０）の前側から後側に向かうにつれて前記ネット本体（１１０）の前記下端（１１２）に対して徐々に上方に位置し、前記ネット本体（１１０）の後側において最上位置にあるものである防虫ネット（１００）を提供する。
【００１４】
さらに、本考案は、頭頂部（２１１）と、鍔部分（２１２）と、前記頭頂部（２１１）と前記鍔部分（２１２）とを接続する側壁部分（２１３）とからなる帽子（２１０）と、上端（１１１）及び下端（１１２）が開口しているネット本体（１１０）と、前記ネット本体（１１０）の中心よりも前記下端（１１２）に近い位置において前記ネット本体（１１０）に取り付けられている付勢手段（１３０）と、からなる防虫ネット（２００）であって、前記ネット本体（１１０）は前記上端（１１１）において前記帽子（２１０）の側壁部分（２１３）に取り付けられており、前記付勢手段（１３０）は、紐部材（１３１）と、前記ネット本体（１１０）の周囲に取り付けられ、前記紐部材（１３１）を内部に通すことができる中空部材（１３２）と、からなり、前記中空部材（１３２）は前記ネット本体（１１０）の前側において開口しており、前記中空部材（１３２）は前記ネット本体（１１０）の前側から後側に向かうにつれて前記ネット本体（１１０）の前記下端（１１２）に対して徐々に上方に位置し、前記ネット本体（１１０）の前側と後側の中間の位置において最上位置にあり、前記ネット本体（１１０）の後側に向かうにつれて徐々に下方に位置し、前記ネット本体（１１０）の後側において前記ネット本体（１１０）の前側における位置よりも上方の位置にあるものである防虫ネット（２００）を提供する。
【００１５】
上記の防虫ネット（３００）においては、前記帽子（２１０）の前記側壁部分（２１３）は、第一の側壁部分（２１３ａ）と、前記第一の側壁部分（２１３ａ）の外側に位置する第二の側壁部分（２１３ｂ）と、からなり、前記第二の側壁部分（２１３ｂ）は、その上端において、前記第一の側壁部分（２１３ａ）に対して折り曲げ自在に前記第一の側壁部分（２１３ａ）に接続し、その下端において、前記第一の側壁部分（２１３ａ）に対して取り外し自在に取り付けられており、前記ネット本体（１１０）は前記第一の側壁部分（２１３ａ）と前記第二の側壁部分（２１３ｂ）との間に収納可能であることが好ましい。
【考案の効果】
【００１６】
防虫ネットを使用する作業としては、除草作業などの前かがみになって行う作業が多い。この場合、仮に、付勢手段（絞り部）がネット本体の周囲に水平に取り付けられていると、ユーザが前かがみになったときに、ネット本体の下端がネット本体の前方側において開き気味になりやすい。
【００１７】
これに対して、本考案に係る防虫ネットによれば、紐部材が通されている中空部材がネット本体の後方側よりも前方側において低くなっているため、ネット本体が前方側において開き気味になることを防止することができる。
【００１８】
従来の防虫ネットにおいては、ネット本体の前方側が開き気味になるため、ここからネット本体の中に虫が入ることがあったが、本考案に係る防虫ネットによれば、そのような事態を防止することが可能である。
【考案を実施するための最良の形態】
【００１９】
（第一の実施形態）
図１（Ａ）は本考案の第一の実施形態に係る防虫ネット１００を前方から見た場合の正面図であり、図１（Ｂ）は防虫ネット１００を後方から見た場合の背面図である。
【００２０】
図１（Ａ）及び図１（Ｂ）に示すように、本実施形態に係る防虫ネット１００は、上端１１１及び下端１１２がともに開口しているネット本体１１０と、ネット本体１１０の上端１１１に取り付けられており、開口している上端が内側に閉じる方向に付勢力を与える締め付け力付与手段１２０と、ネット本体１１０の中心よりも下端１１２に近い位置においてネット本体１１０に取り付けられている付勢手段１３０と、から構成されている。
【００２１】
ネット本体１１０はメッシュ状の素材からなる。
【００２２】
ネット本体１１０の全長（図１（Ａ）及び図１（Ｂ）における上下方向の長さ）は約６０乃至７０ｃｍである。
【００２３】
ネット本体１１０の上端１１１の外周は外側に折り返されてネット本体１１０に縫い合わされており、これにより、内部が空洞状の通路が形成されている。この通路の内部に締め付け力付与手段１２０としてのリング状の平ゴムが通されている。このリング状の平ゴムの収縮力により、ネット本体１１０はその上端１１１において内側に閉じる方向に付勢されている。
【００２４】
付勢手段１３０は、紐部材１３１と、ネット本体１１０の周囲に縫い付けられ、紐部材１３１を内部に通すことができる中空部材１３２と、から構成されている。
【００２５】
図１（Ａ）に示すように、中空部材１３２はネット本体１１０の前側において開口部１３３を有している。この開口部１３３において、中空部材１３２の中に通されている紐部材１３１の両端が中空部材１３２から外部に出ており、紐部材１３１の両端を相互に結ぶことができるようになっている。
【００２６】
紐部材１３１としては、例えば、伸縮性のある紐を用いることができる。
【００２７】
中空部材１３２としては、例えば、布地をネット本体１１０に対して半円形状に縫い付けることにより構成することが可能である。
【００２８】
図１（Ａ）及び図１（Ｂ）に示すように、中空部材１３２はネット本体１１０の前側から後側に向かうにつれてネット本体１１０の下端１１２に対して徐々に上方に位置するように傾斜した状態でネット本体１１０に取り付けられている。中空部材１３２はネット本体１１０の後側において最上位置にある（図１（Ｂ））。
【００２９】
上記のような構造を有する本実施形態に係る防虫ネット１００は以下のようにして使用される。
【００３０】
まず、ユーザは帽子を被り、帽子の上から本実施形態に係る防虫ネット１００を被る。ネット本体１１０の上端１１１が帽子の鍔の根元に当接し、締め付け力付与手段１２０の付勢力により、ネット本体１１０はその上端１１１において帽子に締め付けられる。これにより、防虫ネット１００は帽子から外れなくなる。
【００３１】
次いで、ユーザは紐部材１３１を絞り、ネット本体１１０をユーザの体に密着させ、ユーザとネット本体１１０との間に隙間ができないようにした後、紐部材１３１を相互に結び付ける。これにより、防虫ネット１００はユーザの体に対して固定される。
【００３２】
本実施形態に係る防虫ネット１００は以下のような効果を奏する。
【００３３】
防虫ネット１００を使用する作業としては、除草作業などの前かがみになって行う作業が多い。この場合、仮に、付勢手段１３０がネット本体１１０の周囲に水平に取り付けられていると、ユーザが前かがみになったときに、ネット本体１１０の下端１１２がネット本体１１０の前方側において開き気味になりやすい。
【００３４】
これに対して、本実施形態に係る防虫ネット１００によれば、紐部材１３１が通されている中空部材１３２がネット本体１１０の後方側よりも前方側において低くなっているため、ネット本体１１０が前方側において開き気味になることを防止することができる。
【００３５】
従来の防虫ネットにおいては、ネット本体の前方側が開き気味になるため、ここからネット本体の中に虫が入ることがあったが、本実施形態に係る防虫ネット１００によれば、そのような事態を防止することが可能である。
【００３６】
（第二の実施形態）
図２（Ａ）は本考案の第二の実施形態に係る防虫ネット２００を前方から見た場合の正面図であり、図２（Ｂ）は防虫ネット２００を後方から見た場合の背面図である。
【００３７】
図２（Ａ）及び図２（Ｂ）に示すように、本実施形態に係る防虫ネット２００は、上端１１１及び下端１１２がともに開口しているネット本体１１０と、ネット本体１１０の上端１１１に取り付けられており、開口している上端が内側に閉じる方向に付勢力を与える締め付け力付与手段１２０と、ネット本体１１０の中心よりも下端１１２に近い位置においてネット本体１１０に取り付けられている付勢手段１３０と、から構成されている。
【００３８】
ネット本体１１０はメッシュ状の素材からなる。
【００３９】
ネット本体１１０の全長（図２（Ａ）及び図２（Ｂ）における上下方向の長さ）は約６０乃至７０ｃｍである。
【００４０】
ネット本体１１０の上端１１１の外周は外側に折り返されてネット本体１１０に縫い合わされており、これにより、内部が空洞状の通路が形成されている。この通路の内部に締め付け力付与手段１２０としてのリング状の平ゴムが通されている。このリング状の平ゴムの収縮力により、ネット本体１１０はその上端１１１において内側に閉じる方向に付勢されている。
【００４１】
付勢手段１３０は、紐部材１３１と、ネット本体１１０の周囲に縫い付けられ、紐部材１３１を内部に通すことができる中空部材１３２Ａと、から構成されている。
【００４２】
図２（Ａ）に示すように、中空部材１３２Ａはネット本体１１０の前側において開口部１３３を有している。この開口部１３３において、中空部材１３２Ａの中に通されている紐部材１３１の両端が中空部材１３２Ａから外部に出ており、紐部材１３１の両端を相互に結ぶことができるようになっている。
【００４３】
紐部材１３１としては、例えば、伸縮性のある紐を用いることができる。
【００４４】
中空部材１３２Ａとしては、例えば、布地をネット本体１１０に対して半円形状に縫い付けることにより構成することが可能である。
【００４５】
図２（Ａ）及び図２（Ｂ）に示すように、中空部材１３２Ａはネット本体１１０の前側から後側に向かうにつれてネット本体１１０の下端１１２に対して徐々に上方に位置するように傾斜しており、ネット本体１１０の前側と後側の中間の位置において最上位置にある。さらに、中空部材１３２Ａは、ネット本体の後側に向かうにつれて最上位置から徐々に下方に位置するように傾斜している。中空部材１３２Ａはネット本体１１０の後側においてはネット本体１１０の前側における位置よりも上方の位置にある（図２（Ｂ））。
【００４６】
すなわち、中空部材１３２Ａのネット本体１１０の前側における高さ（ネット本体１１０の下端１１２からの高さ）をＨ１、ネット本体１１０の前側と後側の中間の位置における高さをＨ２、ネット本体１１０の後側における高さをＨ３とすると、
Ｈ１＜Ｈ２  Ｈ３＜Ｈ２  Ｈ１＜Ｈ３
Ｈ３
となる。
【００４７】
なお、「ネット本体１１０の前側と後側の中間の位置」とは使用者の肩の位置に相当している。
【００４８】
上記のような構造を有する本実施形態に係る防虫ネット２００は以下のようにして使用される。
【００４９】
まず、ユーザは帽子を被り、帽子の上から本実施形態に係る防虫ネット２００を被る。ネット本体１１０の上端１１１が帽子の鍔の根元に当接し、締め付け力付与手段１２０の付勢力により、ネット本体１１０はその上端１１１において帽子に締め付けられる。これにより、防虫ネット２００は帽子から外れなくなる。
【００５０】
次いで、ユーザは紐部材１３１を絞り、ネット本体１１０をユーザの体に密着させ、ユーザとネット本体１１０との間に隙間ができないようにした後、紐部材１３１を相互に結び付ける。これにより、防虫ネット２００はユーザの体に対して密着した状態の下に固定される。
【００５１】
本実施形態に係る防虫ネット２００は以下のような効果を奏する。
【００５２】
防虫ネット２００を使用する作業としては、除草作業などの前かがみになって行う作業が多い。この場合、仮に、付勢手段１３０がネット本体１１０の周囲に水平に取り付けられていると、ユーザが前かがみになったときに、ネット本体１１０の下端１１２がネット本体１１０の前方側において開き気味になりやすい。
【００５３】
これに対して、本実施形態に係る防虫ネット２００によれば、紐部材１３１が通されている中空部材１３２Ａがネット本体１１０の後方側よりも前方側において低くなっているため、ネット本体１１０が前方側において開き気味になることを防止することができる。
【００５４】
従来の防虫ネットにおいては、ネット本体の前方側が開き気味になるため、ここからネット本体の中に虫が入ることがあったが、本実施形態に係る防虫ネット２００によれば、そのような事態を防止することが可能である。
【００５５】
（第三の実施形態）
図３は本考案の第二の実施形態に係る防虫ネット３００の斜視図である。
【００５６】
本実施形態に係る防虫ネット３００は、帽子２１０と、締め付け力付与手段１２０を除いた状態の第一の実施形態に係る防虫ネット１００と、から構成されている。
【００５７】
図２に示すように、帽子２１０は、ほぼ円形の頭頂部２１１と、鍔部分２１２と、頭頂部２１１と鍔部分２１２とを接続する側壁部分２１３と、からなる。
【００５８】
ネット本体１１０はその上端１１１において側壁部分２１３の下端に縫い付けられている。すなわち、防虫ネット１００は帽子２１０と一体に結合されている。
【００５９】
第一の実施形態に係る防虫ネット１００を使用する場合には、別途、帽子を用意する必要があったが、本実施形態に係る防虫ネット３００は帽子２１０を内蔵しているため、帽子を別途用意する必要はない。
【００６０】
すなわち、本実施形態に係る防虫ネット３００によれば、第一の実施形態に係る防虫ネット１００による効果に加えて、帽子を別途用意する必要がなくなるという追加的な効果を奏する。
【００６１】
なお、本実施形態に係る防虫ネット３００は、締め付け力付与手段１２０を除いた状態の第一の実施形態に係る防虫ネット１００に代えて、締め付け力付与手段１２０を除いた状態の第二の実施形態に係る防虫ネット２００を用いることも可能である。
【００６２】
（第四の実施形態）
図４は、本考案の第四の実施形態に係る防虫ネット４００における帽子２１０の部分的な縦断面図である。
【００６３】
図４に示すように、本実施形態に係る防虫ネット４００においては、帽子２１０の側壁部分２１３は二重構造になっている。すなわち、帽子２１０の側壁部分２１３は、第一の側壁部分２１３ａと、第一の側壁部分２１３ａの外側に位置する第二の側壁部分２１３ｂと、からなっている。
【００６４】
第二の側壁部分２１３ｂは、その上端において、第一の側壁部分２１３ａに対して折り曲げ自在に第一の側壁部分２１３ａの上端に接続されている。
【００６５】
さらに、第二の側壁部分２１３ｂは、その下端において、第一の側壁部分２１３ａに対して取り外し自在に取り付けられている。
【００６６】
具体的には、第一の側壁部分２１３ａの下端には雌ホック２１４ａが取り付けられ、第二の側壁部分２１３ｂの下端には雄ホック２１４ｂが取り付けられている。雄ホック２１４ｂを雌ホック２１４ａに嵌め込むことにより、第二の側壁部分２１３ｂは第一の側壁部分２１３ａに対して連結され、雄ホック２１４ｂを雌ホック２１４ａから外すことにより、第二の側壁部分２１３ｂは第一の側壁部分２１３ａから外れる。
【００６７】
本実施形態に係る防虫ネット４００は、帽子２１０の側壁部分２１３の構造が異なる点を除いて、第三の実施形態に係る防虫ネット３００と同一の構造を有している。このため、第三の実施形態に係る防虫ネット３００と同一の構成要素に対しては同一の参照符号を用いる。
【００６８】
本実施形態に係る防虫ネット４００においては、防虫ネット１００は、非使用時においては、第一の側壁部分２１３ａと第二の側壁部分２１３ｂとの間に形成されているスペース内に収納されている。
【００６９】
図５は、雄ホック２１４ｂを雌ホック２１４ａから外し、第二の側壁部分２１３ｂを第一の側壁部分２１３ａに対して広げた状態を示す斜視図である。
【００７０】
図５に示すように、雄ホック２１４ｂを雌ホック２１４ａから外し、第二の側壁部分２１３ｂを第一の側壁部分２１３ａに対して上方に広げることにより、第一の側壁部分２１３ａと第二の側壁部分２１３ｂとの間のスペースに収納されていた防虫ネット１００は帽子２１０の下方に垂れ下がり、使用可能な状態となる。
【００７１】
このように、本実施形態に係る防虫ネット４００によれば、防虫ネット１００の非使用時においては、防虫ネット１００を帽子２１０の第一の側壁部分２１３ａと第二の側壁部分２１３ｂとの間に収納しておくことが可能であるため、本実施形態に係る防虫ネット４００は通常の帽子としても使用することが可能である。
【図面の簡単な説明】
【００７２】
【図１】図１（Ａ）は本考案の第一の実施形態に係る防虫ネットを前方から見た場合の正面図であり、図１（Ｂ）は防虫ネットを後方から見た場合の背面図である。
【図２】図２（Ａ）は本考案の第二の実施形態に係る防虫ネットを前方から見た場合の正面図であり、図２（Ｂ）は防虫ネットを後方から見た場合の背面図である。
【図３】図３は本考案の第三の実施形態に係る防虫ネットの斜視図である。
【図４】図４は、本考案の第四の実施形態に係る防虫ネットにおける帽子の部分的な縦断面図である。
【図５】図５は、本考案の第四の実施形態に係る防虫ネットにおいて、第二の側壁部分を第一の側壁部分に対して広げた状態を示す斜視図である。
【符号の説明】
【００７３】
１００  本考案の第一の実施形態に係る防虫ネット
１１０  ネット本体
１１１  上端
１１２  下端
１２０  締め付け力付与手段
１３０  付勢手段
１３１  紐部材
１３２、１３２Ａ  中空部材
１３３  開口部
２００  本考案の第二の実施形態に係る防虫ネット
３００  本考案の第三の実施形態に係る防虫ネット
２１０  帽子
２１１  頭頂部
２１２  鍔部分
２１３  側壁部分
４００  本考案の第四の実施形態に係る防虫ネット
２１３ａ  第一の側壁部分
２１３ｂ  第二の側壁部分
２１４ａ  雌ホック
２１４ｂ  雄ホック
【図１】
0003148193.tif 000003
【図２】
0003148193.tif 000004
【図３】
0003148193.tif 000005
【図４】
0003148193.tif 000006
【図５】
0003148193.tif 000007